(57)【特許請求の範囲】
【請求項１】
釣人の手指で触れて操作されるリング状の釣り具用部材であって、金属材より成る部材本体の外側表面に該部材本体の全周にわたって周回する連続した溝からなる凹部を有し、該凹部内に装飾層を配置し、この装飾層を覆う透明または半透明の保護層を上記凹部に設けたことを特徴とする釣り具用部材。
【請求項２】
上記保護層の露出面を上記部材本体の外側表面の位置よりも突出または窪む形状に形成したことを特徴とする請求項１に記載の釣り具用部材。
【請求項３】
上記装飾層は上記凹部の底面に巻き付けた装飾糸で形成したことを特徴とする請求項１または請求項２に記載の釣り具用部材。
【請求項４】
上記凹部を除く上記部材本体の外面領域に滑止め面を形成したことを特徴とする請求項１、請求項２または請求項３に記載の釣り具用部材。
【発明の詳細な説明】
【０００１】
【発明の属する技術分野】
本発明は、釣竿やリール等の釣り具に用いられる釣り具の部材に関する。
【０００２】
【従来の技術】
一般に釣り具に用いられる部品は金属材で形成されているものが多い。これは加工性の向上や強度を確保する目的からである。例えば、フライロッドにおいて、リールシートにフライリールの脚を固定する締付けリングは金属材で形成されている。リールシートに載せたフライリールの脚部に締付けリングを被せて締め付ける際、その締付けリングには強い力が加わる。このため、締付けリングは強度のある金属材で作られている。また、締付けリングの表面には高級感をかもし出すためにローレットや切り溝等の装飾加工が施されている。
【０００３】
【発明が解決しようとする課題】
締付けリングは加工性の確保と強度の向上のために金属材で作られている。このため、締付けリング自体が硬くなっており、これを操作するとき、触れた手指に負担がかかると共に、硬く冷たい感触を受ける。また、締付リングはフライロッドの握り部近くに設置される。このため、釣り中に手が触れる状況も起こり得るが、そのとき、硬く冷たい感触を受けて違和感が生じる。
【０００４】
締付けリングの表面にローレットや切り溝等を加工して装飾を施す場合、その加工を加える厚み分、締付リングを厚めに形成しなければならない。これが重量を増す原因になる。軽量にするために締付リングの肉厚を薄くすると、ローレットや切り溝等の加工が施し難くなると同時に、締付リングの強度が落ちて、締め付けた際に締付リングが異常な変形を起す虞があるため、軽量化を図りたくともこれまで以上に締付リングを薄くすることができなかった。
【０００５】
釣竿やリール等の釣り具は釣り中、手に持ち続ける。このため、軽量である程良く、特にフライフィッシングでは釣り糸をキャストする度、片手で握ったロッドを前後に繰り返し振らなければならないことから軽量化が特に望まれていた。
【０００６】
締付リングの外面部にローレットや切り溝等を加工する方式の装飾では以上のような種々の問題点があったが、メッキや塗装等の表面処理で締付リングの外表面に装飾層を形成するようにした場合にあっても以下のような問題点があった。すなわち、締付リングの外表面の装飾層が剥離し易く、また摩滅したり損傷したりし易く、装飾部の耐久性が不十分であった。また、メッキ処理で装飾する場合は単調な装飾になり易い。通常のメッキ処理では単色である。このため、単調な装飾になり易いのである。メッキ処理で多色の装飾を施す場合には加工コストが嵩み、実用的でない。
【０００７】
また、金属以外のカーボンで作った締付リングにローレットや切り溝等の加工で装飾を施すと、カーボンの繊維を切断する等、締付リングの強度を損う。このため、カーボンで作った締付リングに施す装飾は塗装になる。この塗装方法では高級な装飾性が期待できなかった。また、塗装した装飾が摩滅したり損傷したりし易く、装飾の耐久性が極めて不十分であった。
【０００８】
本発明は上記事情に着目してなされたものであり、その目的とするところは、部材本体が金属材より成るものであっても、軽量化が図れ、かつ感触性が良好で釣り具の操作性を向上する釣り具用部材を提供し、また、装飾の多様性が増し、かつ装飾性能を高め得る釣り具用部材を提供することにある。
【０００９】
【課題を解決するための手段】
請求項１に係る発明は、釣人の手指で触れて操作されるリング状の釣り具用部材であって、金属材より成る部材本体の外側表面に該部材本体の全周にわたって周回する連続した溝からなる凹部を有し、該凹部内に装飾層を配置し、この装飾層を覆う透明または半透明の保護層を上記凹部に設けたことを特徴とする釣り具用部材である。
請求項２に係る発明は、上記保護層の露出面を上記部材本体の外側表面の位置よりも突出または窪む形状に形成したことを特徴とする請求項１に記載の釣り具用部材である。
請求項３に係る発明は、上記装飾層は上記凹部の底面に巻き付けた装飾糸で形成したことを特徴とする請求項１または請求項２に記載の釣り具用部材である。
請求項４に係る発明は、上記凹部を除く上記部材本体の外面領域に滑止め面を形成したことを特徴とする請求項１、請求項２または請求項３に記載の釣り具用部材である。
【００１０】
【発明の実施の形態】
図１乃至図３は本発明を適用した第１実施形態によるフライロッド（釣竿）１を示す。図１で示すように、フライロッド１は竿管２の手元部（竿尻側端部）を利用して握り部３が設けられ、この握り部３よりも竿尻側に位置する部分には筒状シート本体４が形成されている。筒状シート本体４はその外周面によりリールシート５を形成する。また、筒状シート本体４の竿尻端には竿尻固定部６を有した竿尻部品としてのキャップ７がねじ込み装着されている。
【００１１】
リールシート５にはフライリール８の脚部９が接合された状態で取り付けられるようになっている。握り部３の竿尻側端部にはフライリール８における脚部９の前端が差し込み係止する固定フード１１が形成されている。リールシート５の筒状シート本体４にはスライド式の締付けリング１２が被嵌されている。この締付けリング１２はリールシート５の領域においてその軸方向に沿ってスライド自在なものである。
【００１２】
図２及び図３で示す如く、締付けリング１２は部材本体１３を有し、部材本体１３はアルミニュームや真鍮等の金属材で円筒形状に形成されている。部材本体１３の外側表面部位には溝状の凹部１５が形成されている。この溝状の凹部１５は締付けリング１２の全周にわたり周回する連続した溝として形成されている。締付けリング１２の外側表面において、上記溝状の凹部１５を除く領域の部分、つまり締付けリング１２の竿先側外周縁部１６と竿尻側外周縁部１７の外面にはローレットまたは切込み等の凹凸からなる滑止め面１８，１９が形成されている。
【００１３】
締付けリング１２の幅Ｌ１と溝状の凹部１５の幅Ｌ２の関係は幅Ｌ１の１／２よりも幅Ｌ２が大きい。つまり、（１／２）・Ｌ１＜Ｌ２の式で表される寸法関係にある。
【００１４】
上記溝状の凹部１５内には多層の樹脂層２１が収容されている。樹脂層２１は凹部１５の底部に設けられた装飾層２２と、この装飾層２２を覆う保護層２３によって層状に形成されている。凹部１５の底部に形成される装飾層２２としては例えばいわゆるホログラムシールまたは着色した塗布層によって形成されている。また、装飾層２２を覆う保護層２３は凹部１５内に形成され、例えばエポキシ樹脂等の透明または半透明なものである。保護層２３は溝状の凹部１５内に完全に入り込んで配置されている。保護層２３の外側露出面は中央部付近が最も深く、かつ緩やかにへこむ、周回する溝状の形の窪み２４が形成されている。窪み２４の深さは上記保護層２３の最大厚さよりも小さい。
【００１５】
図２で示すように溝状の凹部１５の深さをα（ｍｍ）とし、保護層２３の最大厚さをβ（ｍｍ）とするとき、深さαと最大厚さβの関係は、
０．０１≦α−β≧０．３、かつβ≧０．２であることが望ましい。この関係に設定すると、装飾層２２の色を充分に際立たせることができ、軽量化も図れ、なおかつ、装飾層２２を充分に保護することができる樹脂層２１を構成することができる等の効果が得られる。
【００１６】
本実施形態の締付けリング１２では部材本体１３の外側表面部に形成した溝状の凹部１５内に配置した装飾層２２の模様が、透明または半透明の保護層２３を透過して外から見える。装飾層２２は装飾の自由性に富み、多様な装飾が可能であるため、締付けリング１２の装飾の多様性が充分である。また、凹部１５の奥行きにより立体的な装飾が可能となる。つまり、金属製の部材本体１３の外表面に様々な装飾が自由に施せる。このため、装飾性能が高まり、製品の高級感を容易に出すことができる。
【００１７】
また、金属製の部材本体１３の装飾をつかさどる装飾層２２や保護層２３は部材本体１３の凹部１５内に収納して配置できるので、樹脂層２１、特に装飾層２２が剥がれたり、摩滅することが少ない。したがって、良好な状態で装飾機能を長時間にわたり維持し、装飾部の耐久性が増す。
【００１８】
締付けリング１２の部材本体１３はアルミニュームや真鍮等の金属材で形成され、質量のある素材であるものの、その部材本体１３には溝状の凹部１５を形成してあるので、締付けリング１２の軽量化が図れる。つまり、凹部１５内に配置される樹脂層２１は軽量なものであり、これが締付けリング１２を重くするものではない。部材本体１３を薄くして強度を落とすことなく、軽量化が図れる。つまり、締付けリング１２自体の軽量化と強度の確保が同時に達成できる。
【００１９】
また、締付けリング１２の幅Ｌ１の１／２よりも溝状の凹部１５の幅Ｌ２の方が大きい（外面において、締付けリング１２の幅Ｌ１に対して凹部１５の幅Ｌ２の割合が大きい）ので、締付けリング１２を操作する手の指が金属製の部材本体１３に触れる度合が小さい。手指の多くは樹脂層２１に触れる。その結果、樹脂の柔軟性により手指が痛くならず、また、冷たい感触や硬い感触を受け難くなる。従って、滑り難く手触りの良い締付けリング１２となり、その操作感が壮快である。
【００２０】
また、締付けリング１２の竿先側外周縁部１６と竿尻側外周縁部１７の外面にはローレットまたは切込み等の凹凸からなる滑止め面１８，１９が形成されているので、締付けリング１２を強く操作する際の滑止めが確保できる。また、保護層２３の外面は中央部付近が緩やかにへこむ形の窪み２４になっているので、操作する手の指が入って位置決めがなされ、これだけでも、手の指が安定し、締付けリング１２の操作が容易かつ確実に行なうことができる。
【００２１】
尚、リール脚の動きを防止するため、リールシートのリール脚載置面に突状部を形成し、この突状部にリール脚を突き当てるようにしても良い。また、上記樹脂層２１、特に保護層２３をゴム等の熱伝導率の低い材料で形成してもよく、このようにすれば、樹脂層２１の断熱作用で直射日光を遮断でき、部材本体１３が熱くなることを防ぐことができる。また、上記実施形態では保護層２３の外面に溝状の窪み２４を形成したが、樹脂層２１の外表面は部材本体１３の外面に一致する均等な高さのものであってもよい。
【００２２】
図４は本発明を適用した第２実施形態による締付けリング１２の変形例である。この第２実施形態による締付けリング１２では凹部１５内に配置する装飾層を装飾糸２５で形成したものであり、装飾糸２５は凹部１５の底面に巻き付けられている。装飾糸２５を覆う保護層２３の外面は図４で示す如く、中央部付近が最も高く緩やかに盛り上がる山状に形成され、締付けリング１２の外面よりも突き出す高さに形成されている。この高さｈは少なくとも０．１mm以上とすれば、指先が保護層２３の外面のみに集中的に触れる傾向になるので、手触りが良くなる。この他は前述した第１実施形態のものと同様のものであってよい。
【００２３】
本実施形態では装飾層が凹部１５の底面に巻き付ける装飾糸２５で形成したので、締付けリング１２の強度を高めることができる。装飾糸２５は樹脂で固められ、部材本体１３と一体化しているので、一層強度が高まる。また、装飾糸２５は異なる色や装飾の多数本のものを組み合わせて使用しても良い。
【００２４】
図５及び図６は本発明を適用した第３実施形態による船竿等の釣竿を示すものである。本実施形態の釣竿３１は竿管３２の手元部に竿先側握り部３３と竿尻側握り部３４を形成したダブルハンドル形式のものであり、竿先側握り部３３と竿尻側握り部３４の間にリールシート３５が形成されている。
【００２５】
竿尻側握り部３４の先端には固定フード３６が形成され、リールシート３５の先端側部分には移動フード３７が移動自在に装着されている。移動フード３７はリールシート３５に形成された雄ネジ部３８に螺合するナット３９によって軸方向へ移動させられる。
【００２６】
リール４１を釣竿３１に取り付ける場合、図５で示す如く、リール４１における脚部４２をリールシート３５に載置し、この脚部４２の一端部を固定フード３６に差し込み係止すると共に脚部４２の他端部に移動フード３７を被せ、移動フード３７をナット３９によって固定フード３６側に移動させることによって、リール４１における脚部４２を係止状態に固定する。
【００２７】
また、上記ナット３９の部材本体４３はアルミニュームや真鍮等の金属材で円筒形状に形成されている。部材本体４３の外側表面部位には図６で示す如く複数の凹部４５が形成されている。各凹部４５はその部材本体４３の全周にわたり連続した周回溝によって形成されている。上記凹部４５を除く外側表面領域はローレットまたは切込み等の凹凸からなる滑止め面としてもよい。ナット３９の部材本体４３における内面にはリールシート３５の雄ネジ部３８に螺合する雌ネジ部４０が形成されている。
【００２８】
各凹部４５には前述した第１実施形態の場合と同様に樹脂層２１が形成されている。すなわち、樹脂層２１は凹部１５内底部に形成された装飾層２２とこれを覆う保護層２３が形成されている。もちろん、凹部１５に形成する樹脂層２１を前述した第２実施形態の場合のように糸等で構成したものであっても良い。
【００２９】
次に、図７及び図８を参照して本発明を適用した第４実施形態による釣竿について説明する。本実施形態は渓流竿や鮎竿等の釣竿にあって節の補強または装飾のために設けられる金属リングに本発明を適用したものである。
【００３０】
図７は渓流竿や鮎竿等の振り出し竿である釣竿５０を示している。この釣竿５０は元竿５１内に中竿５２を引き込んで重ねた状態に収納しておき、使用するときには元竿５１の先端から図示しないキャップを取り外して中竿５２を振り出せるようになっている。元竿５１の竿尻には尻栓５３が設けられている。
【００３１】
元竿５１または中竿５２の節先端には補強または装飾のための金属リング（口金）が設けられている。また、元竿５１の節中間や尻部にも装飾を兼ねた金属リングが設けられている。
【００３２】
図７で示す釣竿５０にあっては節先端位置にリング状の口金５４が装着されている。口金５４はアルミニュームや真鍮等の金属材で部材本体５５を円筒形状に形成したものである。この部材本体５５の外側表面部位には図８で示す如くの凹部５６が形成されている。凹部５６はその部材本体５５の全周にわたり連続した周回状の溝によって形成されている。また、凹部５６の底面には模様、ローレットまたは切込み等の凹凸面を形成した装飾部５７が形成されている。
【００３３】
部材本体５５の外側表面の端部は肉厚部５８として残してなり、この肉厚部５８の幅は好ましくは１〜１０ｍｍであるが、この幅は口金を設ける場所等を考慮して任意に設定することが可能である。また、肉厚部５８の外表面は滑らかな面であっても良いが、この領域にもローレットまたは切込み等を形成した滑止め面としてもよい。また、肉厚部５８の角の縁部には丸みを付けたR面５９を形成する。
【００３４】
このように部材本体５５の外周に凹部５６を形成し、その凹部５６の底面に装飾部５７を形成しても両端の肉厚部５８によって強度が維持できる。軽量化と同時に装飾効果が向上する。ローレットまたは切込み等の凹凸面を形成した装飾部５７により手指が滑りにくく、竿の抜き差し操作などの操作性が向上する。
【００３５】
尚、上述した各実施形態での凹部は両側縁部に立ち上がり壁（凸部）のある溝状のものであったが、本発明はこのような形態に限定されるものではなく、片側に立ち上がり壁（凸部）がない段差状の凹部であっても片側に立ち上がり壁（凸部）が低い凹部であってもよい。図９はその一例であって、第１実施形態の締付けリング１２に適用した形態である。
【００３６】
また、各実施形態では釣竿の締付けリングやそれを操作するナットについてのものを説明したが、本発明はこれ以外の部材についても適用可能である。例えば、釣竿ではリールシートやこれにリール脚を固定するフードや竿後端の竿尻部品や竿尻固定リング等に対しても同様に適用が可能である。他の釣り具にも強度を必要とする部位があり、このような部位の部材にも金属材が使われているが、このような物にも本発明を適用できる。
【００３７】
【発明の効果】
以上説明したように本発明によれば、部材本体が金属材より成るものであっても、軽量化が図れ、かつ手触り感触性が良好であるため、釣り具の操作性が向上する。また、装飾の多様性が増し、かつ装飾性能が高まる。
【図面の簡単な説明】
【図１】本発明の第１実施形態によるフライロッドの側面図。
【図２】上記フライロッドのリール脚用締付けリングを一部断面して示す断面図。
【図３】図２中、Ａ−Ａ線に沿う部分の横断面図。
【図４】本発明の第２実施形態によるフライロッドのリール脚用締付けリングを一部断面して示す断面図。
【図５】本発明の第３実施形態による釣竿の側面図。
【図６】本発明の第３実施形態による釣竿における移動フード操作用ナットの一部縦断面図。
【図７】本発明の第４実施形態による釣竿の側面図。
【図８】本発明の第４実施形態による釣竿における口金を一部断面して示す断面図。
【図９】締付けリングの変形例を一部断面して示す断面図。
【符号の説明】
１…フライロッド（釣竿）、２…竿管、３…握り部、
４…筒状シート本体、５…リールシート、８…フライリール、
９…脚部、１１…固定フード、１２…締付けリング、１３…部材本体、
１５…溝状の凹部、２１…樹脂層、２２…装飾層、２３…保護層。
【図１】
0004040835.tif 000002
【図２】
0004040835.tif 000003
【図３】
0004040835.tif 000004
【図４】
0004040835.tif 000005
【図５】
0004040835.tif 000006
【図６】
0004040835.tif 000007
【図７】
0004040835.tif 000008
【図８】
0004040835.tif 000009
【図９】
0004040835.tif 000010